【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  ビデオ記録媒体に記録した撮影内容を把握する情報をリアルタイムで記録する撮影内容記録システムにおいて、
映像を撮像する撮像手段と、
音声を収音する収音手段と、
前記撮像手段による撮像画像のデータ、および前記収音手段による入力音声のデータを前記ビデオ記録媒体に記録するビデオ記録手段と、
前記撮像画像によるビデオ信号を送信するビデオ信号送信手段と、
前記ビデオ記録手段による記録時間情報を送信する記録時間情報送信手段と、
前記ビデオ記録手段による記録動作を示す制御信号を送信する制御信号送信手段と、
を具備する撮像装置と、
前記ビデオ信号を受信するビデオ信号受信手段と、
前記記録時間情報を受信する記録時間情報受信手段と、
前記制御信号を受信する制御信号受信手段と、
受信した前記制御信号より前記ビデオ記録手段の動作状況を検出する動作状況検出手段と、
前記動作状況検出手段によって検出された前記ビデオ記録媒体への記録開始時または前記記録開始時から一定時間後において、前記ビデオ信号より静止画像のデータを生成する静止画像生成手段と、
受信した前記記録時間情報より、前記動作状況検出手段による検出に基づいて前記ビデオ記録媒体への記録開始時および記録終了時における時間情報を設定し、対応する前記静止画像のデータとともに記憶する撮影内容データ記憶手段と、
を具備する撮影内容記録装置と、
によって構成されることを特徴とする撮影内容記録システム。
【請求項２】  前記撮像装置は、前記収音手段によって出力された音声信号を送信する音声信号送信手段を有し、前記撮影内容記録装置は、送信された前記音声信号を受信する音声信号受信手段と、受信した前記音声信号より前記記録開始時から前記記録終了時までの音声データを生成する音声データ生成手段とを有し、前記撮影内容データ記憶手段は、前記記録開始時および前記記録終了時の時間情報と前記静止画像のデータとに対応させて、前記音声データを記憶することを特徴とする請求項１記載の撮影内容記録システム。
【請求項３】  前記撮影内容記録装置は、前記記録開始時および前記記録終了時の時間情報と前記静止画像とを対応させて表示する撮影内容表示手段を具備することを特徴とする請求項１記載の撮影内容記録システム。
【請求項４】  前記撮影内容記録装置は、受信した前記ビデオ信号から撮影中の動画像の圧縮データを生成する動画像生成手段を具備し、前記撮影内容表示手段は、前記動画像生成手段によって生成された撮影中の動画像を、前記記録開始時および前記記録終了時の時間情報と前記静止画像とともに表示することを特徴とする請求項３記載の撮影内容記録システム。
【請求項５】  前記動画像生成手段は、受信した前記ビデオ信号より前記記録開始時から前記記録終了時までのすべて、または一部の範囲における記録中の動画像の圧縮データを生成し、前記撮影内容データ記憶手段は、前記記録開始時および前記記録終了時の時間情報と前記静止画像とに、前記記録中の動画像を対応させて記憶することを特徴とする請求項４記載の撮影内容記録システム。
【請求項６】  前記撮影内容記録装置は、前記記録開始時から前記記録終了時までの各範囲の記録内容についての関連情報を入力する関連情報入力手段を具備し、前記撮影内容表示手段は、前記関連情報を、前記記録開始時および前記記録終了時の時間情報と前記静止画像とに対応させて表示することを特徴とする請求項３記載の撮影内容記録システム。
【請求項７】  前記撮影内容データ記憶手段は、前記記録開始時および前記記録終了時の時間情報と前記静止画像のデータとに対応させて、前記関連情報を記憶することを特徴とする請求項６記載の撮影内容記録システム。
【請求項８】  前記関連情報は、記録した日時、記録者名、および記録内容や撮影目的等を表すコメントを含むことを特徴とする請求項７記載の撮影内容記録システム。
【請求項９】  前記撮影内容記録装置は、ＧＰＳ衛星からの電波を受信して、前記撮影内容記録装置の現在位置を検出する現在位置検出手段を具備し、前記撮影内容表示手段は、前記現在位置検出手段より出力される現在位置情報を、前記記録開始時および前記記録終了時の時間情報と前記静止画像とに対応させて表示することを特徴とする請求項３記載の撮影内容記録システム。
【請求項１０】  前記撮影内容データ記憶手段は、前記記録開始時および前記記録終了時の時間情報と前記静止画像のデータとに対応させて、前記現在位置情報を記憶することを特徴とする請求項９記載の撮影内容記録システム。
【請求項１１】  前記ビデオ信号、前記記録時間情報および前記制御信号は、無線通信によって送受信されることを特徴とする請求項１記載の撮影内容記録システム。
【請求項１２】  前記音声信号は無線通信によって送受信されることを特徴とする請求項２記載の撮影内容記録システム。
【請求項１３】  前記撮影内容記録装置は、受信された前記音声信号に基づいて音声を認識し、文字データに変換する音声認識手段を具備し、前記文字データは、前記撮影内容データ記憶手段によって、前記記録開始時および前記記録終了時の時間情報と前記静止画像のデータとに対応して記憶されることを特徴とする請求項２記載の撮影内容記録システム。
【請求項１４】  前記静止画像生成手段によって生成される前記静止画像のデータは、データ圧縮処理がなされていることを特徴とする請求項１記載の撮影内容記録システム。
【請求項１５】  前記音声データ生成手段によって生成される前記音声データは、データ圧縮処理がなされていることを特徴とする請求項２記載の撮影内容記録システム。
【請求項１６】  前記制御信号は、前記ビデオ記録手段の動作状態が記録動作のスタンバイ状態、前記ビデオ記録媒体が走行した記録動作の開始状態、および記録開始後の前記ビデオ記録媒体の走行安定状態をそれぞれ示す第１、第２および第３のフラグとして示され、前記動作状況検出手段による検出に基づいて、前記第１、第２および第３のフラグがすべて１となったとき、前記撮影内容データ記憶手段が前記ビデオ記録手段による前記記録開始時の時間情報を設定するとともに、前記静止画像生成手段が前記静止画像のデータを生成し、前記第１、第２および第３のフラグのうち１つでも０となったとき、前記撮影内容データ記憶手段が前記記録終了時の時間情報を設定することを特徴とする請求項１記載の撮影内容記録システム。
【請求項１７】  前記制御信号は、前記ビデオ記録手段の動作状態が記録動作のスタンバイ状態、前記ビデオ記録媒体が走行した記録動作の開始状態、および記録開始後の前記ビデオ記録媒体の走行安定状態をそれぞれ示す第１、第２および第３のフラグとして示され、前記動作状況検出手段による検出に基づいて、前記第１および第２のフラグがすべて１となったとき、前記音声データ生成手段が前記音声データの生成を開始し、前記第１、第２および第３のフラグがすべて１となったとき、前記撮影内容データ記憶手段が前記ビデオ記録手段による前記記録開始時の時間情報を設定するとともに、前記静止画像生成手段が前記静止画像のデータを生成し、前記第１、第２および第３のフラグのうち１つでも０となったとき、前記撮影内容データ記憶手段が前記記録終了時の時間情報を設定するとともに、前記音声データ生成手段が前記音声データの生成を終了することを特徴とする請求項２記載の撮影内容記録システム。
【請求項１８】  前記制御信号は、前記ビデオ記録手段の動作状態が記録動作のスタンバイ状態、前記ビデオ記録媒体が走行した記録動作の開始状態、および記録開始後の前記ビデオ記録媒体の走行安定状態をそれぞれ示す第１、第２および第３のフラグとして示され、前記動作状況検出手段による検出に基づいて、前記第１および第２のフラグがすべて１となったとき、前記動画像生成手段は前記動画像の圧縮データの生成を開始し、前記第１、第２および第３のフラグがすべて１となったとき、前記撮影内容データ記憶手段が前記ビデオ記録手段による前記記録開始時の時間情報を設定するとともに、前記静止画像生成手段が前記静止画像のデータを生成し、前記第１、第２および第３のフラグのうち１つでも０となったとき、前記撮影内容データ記憶手段が前記記録終了時の時間情報を設定するとともに、前記動画像生成手段が前記動画像の圧縮データの生成を終了することを特徴とする請求項５記載の撮影内容記録システム。
【請求項１９】  前記制御信号のデータ形式は９ピンプロトコルに準拠することを特徴とする請求項１６〜１８のいずれかに記載の撮影内容記録システム。
【請求項２０】  前記ビデオ記録媒体は磁気テープであることを特徴とする請求項１記載の撮影内容記録システム。
【請求項２１】  ビデオ記録媒体に記録した撮影内容を把握する情報をリアルタイムで記録する撮影内容記録方法において、
映像を撮像し、音声を収音して、前記映像および前記音声のデータを前記ビデオ記録媒体に記録する撮像装置より、撮影中のビデオ信号と、前記ビデオ記録媒体への記録にともなう記録時間情報と、前記ビデオ記録媒体に対する記録動作を示す制御信号とを受信し、
受信した前記制御信号より判断した前記撮像装置の記録開始時または前記記録開始時から一定時間後における静止画像のデータを前記ビデオ信号から生成し、
受信した前記制御信号より検出した前記撮像装置の記録開始時および記録終了時における前記記録時間情報より、前記ビデオ記録媒体への記録開始時および記録終了時の各時間情報を設定し、対応する前記静止画像のデータとともに記憶する、
ことを特徴とする撮影内容記録方法。
【手続補正２】
【補正対象書類名】明細書
【補正対象項目名】０００１
【補正方法】変更
【補正の内容】
【０００１】
【発明の属する技術分野】
本発明は、ビデオ記録媒体に記録した撮影内容を把握する情報をリアルタイムで記録する撮影内容記録システムおよび撮影内容記録方法に関する。
【手続補正３】
【補正対象書類名】明細書
【補正対象項目名】０００５
【補正方法】変更
【補正の内容】
【０００５】
本発明はこのような課題に鑑みてなされたものであり、カムコーダによって記録されたビデオ記録媒体の内容を容易に、かつ正確に把握することが可能な撮影内容記録システムを提供することを目的とする。
【手続補正４】
【補正対象書類名】明細書
【補正対象項目名】０００６
【補正方法】変更
【補正の内容】
【０００６】
また、本発明の他の目的は、カムコーダによって記録されたビデオ記録媒体の内容を容易に、かつ正確に把握することが可能な撮影内容記録方法を提供することである。
【手続補正５】
【補正対象書類名】明細書
【補正対象項目名】０００７
【補正方法】変更
【補正の内容】
【０００７】
【課題を解決するための手段】
本発明では上記課題を解決するために、ビデオ記録媒体に記録した撮影内容を把握する情報をリアルタイムで記録する撮影内容記録システムにおいて、映像を撮像する撮像手段と、音声を収音する収音手段と、前記撮像手段による撮像画像のデータ、および前記収音手段による入力音声のデータを前記ビデオ記録媒体に記録するビデオ記録手段と、前記撮像画像によるビデオ信号を送信するビデオ信号送信手段と、前記ビデオ記録手段による記録時間情報を送信する記録時間情報送信手段と、前記ビデオ記録手段による記録動作を示す制御信号を送信する制御信号送信手段と、を具備する撮像装置と、前記ビデオ信号を受信するビデオ信号受信手段と、前記記録時間情報を受信する記録時間情報受信手段と、前記制御信号を受信する制御信号受信手段と、受信した前記制御信号より前記ビデオ記録手段の動作状況を検出する動作状況検出手段と、前記動作状況検出手段によって検出された前記ビデオ記録媒体への記録開始時または前記記録開始時から一定時間後において、前記ビデオ信号より静止画像のデータを生成する静止画像生成手段と、受信した前記記録時間情報より、前記動作状況検出手段によって検出された前記ビデオ記録媒体への記録開始時および記録終了時における時間情報を設定し、対応する前記静止画像のデータとともに記憶する撮影内容データ記憶手段と、を具備する撮影内容記録装置と、によって構成されることを特徴とする撮影内容記録システムが提供される。
【手続補正６】
【補正対象書類名】明細書
【補正対象項目名】０００８
【補正方法】変更
【補正の内容】
【０００８】
このような撮影内容記録システムでは、撮像装置において、撮像手段および収音手段による撮像画像および音声のデータが、ビデオ記録手段によってビデオ記録媒体に記録され、撮影中の画像によるビデオ信号、ビデオ記録媒体への記録時間情報、およびビデオ記録手段の記録動作を示す制御信号とが、ビデオ信号送信手段、記録時間情報送信手段および制御信号送信手段によって、それぞれ送信される。撮影内容記録装置では、これらの信号をビデオ信号受信手段、記録時間情報受信手段および制御信号受信手段によってそれぞれ受信される。動作状況検出手段は、受信された制御信号よりビデオ記録手段の動作状況を検出する。この動作状況の検出によって、静止画像生成手段は記録開始時またはその一定時間後における静止画像のデータを、受信したビデオ信号から生成し、また、撮影内容データ記憶手段は、記録開始時および記録終了時の時間情報を、受信した記録時間情報から設定して、この時間情報を対応する静止画像のデータとともに記憶する。
【手続補正７】
【補正対象書類名】明細書
【補正対象項目名】０００９
【補正方法】変更
【補正の内容】
【０００９】
このように、ビデオ記録媒体に記録された各記録映像の開始時間および記録終了時間と、記録開始時またはその一定時間後における静止画像のデータとが対応されて記憶されるため、ビデオ記録媒体に記録されたさまざまな映像の記録範囲を容易に特定し、記録したおおよその内容を把握することが可能になり、ビデオ記録媒体を用いたこの後の編集作業を効率よく行うことができる。また、記録された撮影内容の情報は、ビデオ記録媒体の管理データとして利用することも可能である。
【手続補正８】
【補正対象書類名】明細書
【補正対象項目名】００１０
【補正方法】変更
【補正の内容】
【００１０】
また、本発明では、ビデオ記録媒体に記録した撮影内容を把握する情報をリアルタイムで記録する撮影内容記録方法において、映像を撮像し、音声を収音して、前記映像および前記音声のデータを前記ビデオ記録媒体に記録する撮像装置より、撮影中のビデオ信号と、前記ビデオ記録媒体への記録にともなう記録時間情報と、前記ビデオ記録媒体に対する記録動作を示す制御信号とを受信し、受信した前記制御信号より判断した前記撮像装置の記録開始時または前記記録開始時から一定時間後における静止画像のデータを前記ビデオ信号から生成し、受信した前記制御信号より判断した前記撮像装置の記録開始時および記録終了時における前記記録時間情報より、前記ビデオ記録媒体への記録開始時および記録終了時の各時間情報を設定し、対応する前記静止画像のデータとともに記憶する、ことを特徴とする撮影内容記録方法が提供される。
【手続補正９】
【補正対象書類名】明細書
【補正対象項目名】００１１
【補正方法】変更
【補正の内容】
【００１１】
このような撮影内容記録方法では、撮像した画像および収音した音声のデータをビデオ記録媒体に記録する撮像装置から、撮影中の画像によるビデオ信号、ビデオ記録媒体への記録時間情報、およびビデオ記録手段の記録動作を示す制御信号とをそれぞれ受信し、制御信号よりビデオ記録手段の動作状況を検出する。この動作状況の検出より、記録開始時またはその一定時間後における静止画像のデータを、受信したビデオ信号から生成し、また、記録開始時および記録終了時の時間情報を、受信した記録時間情報から設定して、この時間情報を対応する静止画像のデータとともに記憶する。このように、ビデオ記録媒体に記録された各記録映像の開始時間および記録終了時間と、記録開始時またはその一定時間後における静止画像のデータとが対応されて記憶されるため、ビデオ記録媒体に記録されたさまざまな映像の記録範囲を容易に特定し、記録したおおよその内容を把握することが可能になり、ビデオ記録媒体を用いたこの後の編集作業を効率よく行うことができる。
【手続補正１０】
【補正対象書類名】明細書
【補正対象項目名】００６０
【補正方法】変更
【補正の内容】
【００６０】
【発明の効果】
以上説明したように、本発明の撮影内容記録システムでは、ビデオ記録媒体に記録された各記録映像の記録開始時間および記録終了時間と、撮像装置から受信したビデオ信号から、記録開始時において生成した静止画像とが、撮影内容データ記憶手段によって対応されて記憶されるため、このデータを用いて、ビデオ記録媒体に記録されたさまざまな映像の記録範囲を容易に特定し、記録したおおよその内容を把握することが可能になり、ビデオ記録媒体を用いたこの後の編集作業を効率よく行うことができる。
【手続補正１１】
【補正対象書類名】明細書
【補正対象項目名】００６１
【補正方法】変更
【補正の内容】
【００６１】
また、本発明の撮影内容記録方法では、ビデオ記録媒体に記録された各記録映像の記録開始時間および記録終了時間と、撮像装置から受信したビデオ信号から、記録開始時において生成した静止画像とが対応されて記憶されるため、このデータを用いて、ビデオ記録媒体に記録されたさまざまな映像の記録範囲を容易に特定し、記録したおおよその内容を把握することが可能になり、ビデオ記録媒体を用いたこの後の編集作業を効率よく行うことができる。